(57)【要約】      （修正有）【課題】視認性とデザイン性、およびカードの保持性という、要求される２つの基本機能を両立することができるカードホルダーを提供する。【解決手段】カードホルダーは、前面板１と蓋板２と前面板１と蓋板２とを固定するスライド式ロック３とを具備し、前面板１は、外枠１１と、外枠１１の内側に設けられた凹部である収納部と、収納部の下端に設けられた前面板嵌合部１２ａと、上端中央に突出して設けられた前面板被ロック部とを備え、蓋板２は、下端に設けられ前面板嵌合部と嵌合する蓋板嵌合部２２と、上端中央に突出して設けられた蓋板被ロック部とを備え、スライド式ロック３は、スライド式ロック３を左右にスライドさせることで、前面板被ロック部と蓋板被ロック部とを固定し、固定を解除することを特徴とする。【選択図】図５
0003200156.tif 000002
【実用新案登録請求の範囲】
【請求項１】
前面板と、
蓋板と、
上記前面板と蓋板とを固定する左右スライド式ロックと、
を具備し、
上記前面板と上記蓋板とに囲まれた空間にカード状物を保持可能なカードホルダーであって、
上記前面板は、
外枠と、
当該外枠の内側に設けられた凹部である収納部と、
当該収納部の下端に設けられた前面板嵌合部と、
上端中央に突出して設けられた前面板被ロック部と、
を備え、
上記蓋板は、
下端に設けられ上記前面板嵌合部と嵌合する蓋板嵌合部と、
上端中央に突出して設けられた蓋板被ロック部と、
を備え、
上記左右スライド式ロックは、
当該左右スライド式ロックを左右にスライドさせることで、上記前面板被ロック部と上記蓋板被ロック部とを固定し、固定を解除する
ことを特徴とするカードホルダー。
【請求項２】
上記前面板被ロック部、上記蓋板被ロック部、および上記左右スライド式ロックの周囲を囲み、上方より挿入可能なロック留めをさらに具備した
ことを特徴とする請求項１に記載のカードホルダー。
【請求項３】
前面板と、
蓋板と、
上記前面板と蓋板とを固定する上下スライド式ロックと、
を具備し、
上記前面板と上記蓋板とに囲まれた空間にカード状物を保持可能なカードホルダーであって、
上記前面板は、
外枠と、
当該外枠の内側に設けられた凹部である収納部と、
当該収納部の下端に設けられた前面板嵌合部と、
上端中央に突出して設けられた前面板被ロック部と、
を備え、
上記蓋板は、
下端に設けられ上記前面板嵌合部と嵌合する蓋板嵌合部と、
上端中央に突出して設けられた蓋板被ロック部と、
を備え、
上記上下スライド式ロックは、
当該上下スライド式ロックを上下にスライドさせることで、上記前面板被ロック部と上記蓋板被ロック部とを固定し、固定を解除する
ことを特徴とするカードホルダー。
【請求項４】
上記前面板および上記蓋板に対して、上記上下スライド式ロックを近接させた時に固定が解除され、上記上下スライド式ロックを離隔させた時に固定される
ことを特徴とする請求項３に記載のカードホルダー。
【請求項５】
上記前面板被ロック部および上記蓋板被ロック部に嵌合し、上記上下スライド式ロックの下方に挿入可能なロック留めをさらに具備した
ことを特徴とする請求項４に記載のカードホルダー。
【請求項６】
上記前面板嵌合部は、外側に向かって高くなるスロープである
ことを特徴とする請求項１から５のいずれかに記載のカードホルダー。
【請求項７】
上記前面板被ロック部および上記蓋板被ロック部は瓢箪上の開口を有し、
上記左右スライド式ロックはロック用凸部を有する
ことを特徴とする請求項１または２に記載のカードホルダー。
【請求項８】
上記前面板被ロック部および上記蓋板被ロック部は瓢箪上の開口を有し、
上記上下スライド式ロックはロック用凸部を有する
ことを特徴とする請求項３から５のいずれかに記載のカードホルダー。
【請求項９】
上記ロック留めは、上記前面板の厚みより広い切欠けを有する
ことを特徴とする請求項２または４に記載のカードホルダー。
【請求項１０】
上記左右スライド式ロックは紐通しを有する
ことを特徴とする請求項１または２に記載のカードホルダー。
【請求項１１】
上記上下スライド式ロックは紐通しを有する
ことを特徴とする請求項３から５のいずれかに記載のカードホルダー。
【請求項１２】
上記ロック留めはクリップを有する
ことを特徴とする請求項２または４に記載のカードホルダー。
【請求項１３】
上端部に紐通しを有する突出部を備えたカードホルダーを身体に装着するための保持具であって、
上記突出部の周囲を囲み、上方より挿入可能な筒状のロック留めと、
首掛け用の紐と、
を備えた
ことを特徴とするカードホルダー用保持具。
【請求項１４】
上端部に突出部を備えたカードホルダーを身体に装着するための保持具であって、
上記突出部の周囲を囲み、上方より挿入可能な筒状のロック留めと、
を備え、
当該ロック留めは、クリップを有する
ことを特徴とするカードホルダー用保持具。
【請求項１５】
上記ロック留めは、カードホルダーの厚みより広い切欠けを有する
ことを特徴とする請求項１３または１４にカードホルダー用保持具。
【考案の詳細な説明】
【技術分野】
【０００１】
本考案は、カード状物を収納する空間を有するカードホルダー、およびそれを保持するための保持具に関するものである。特に、首に掛けたり、胸ポケットに付けたり等の方法で、身体に装着可能であり、外部よりカード状物を視認できる名札等の用途でも使用可能なカードホルダーに関する。
【背景技術】
【０００２】
オフィス等において、カードを収納できるカードホルダーは広く用いられている。例えば、所属と氏名が書かれたネームカードや名刺、あるいは社員証等を透明なカードホルダーに収納し、カードホルダーに紐を設け、紐を首に掛けることで、カードホルダーを携帯できる。
【０００３】
このようなカードホルダーに要求される基本的な機能のひとつは、カードホルダーの視認性とデザインである。カードホルダーのほぼ全面を収納面とすることで、スッキリとした機能的なデザインが得られ、且つ同僚等からカードを視認しやすくなる。
【０００４】
カードホルダーに要求されるもう一つの基本的な機能は、カードの保持性である。すなわち、カードが収納スペースから脱落し、誤って紛失してしまうといったトラブルが生じないように、カードホルダーにしっかりとカードを保持することが必要である。
特に近年においては、セキュリティ強化の観点から、オフィスに入室する際にＩＣカードにより認証を行っている企業も多くみられる。例えば、社員証を認証用のＩＣカードとしている場合も多くみられ、カードの保持性への要求は、従来に比べて、著しく高まっている。
例えば、特許文献１に開示されたカードケースにおいては、カードケースが大きな加速度や衝撃を受けた際に、カードが脱落してしまう危険性が有り、カードの保持性が十分とは言えなかった。
【０００５】
カードの保持性を高めるために、ロック機構を有するカードホルダーも実用化されている。例えば、カードホルダーの前面部と背面蓋との間にカードを収納する空間を設け、前面部と蓋とが外れないようにロック機構を設けたカードホルダーである。このようなカードホルダーにおいては、カードの保持性は高まるものの、カードホルダーの周囲に嵌合部やロック部等の機構を設ける必要があるため、カード収納部に比べて、カードホルダーの面積が大きくなったり、カード収納部の周囲に機構がむき出しになり、第一の要求である視認性やデザイン性に問題が生じていた。
【先行技術文献】
【特許文献】
【０００６】
【特許文献１】特開２００４−３４４２６１号
【考案の概要】
【考案が解決しようとする課題】
【０００７】
視認性とデザイン性、およびカードの保持性という、カードホルダーに要求される２つの基本機能を両立することを目的とする。
【課題を解決するための手段】
【０００８】
本考案の請求項１に係るカードホルダーは、前面板と、蓋板と、上記前面板と蓋板とを固定する左右スライド式ロックとを具備し、上記前面板と上記蓋板とに囲まれた空間にカード状物を保持可能なカードホルダーであって、上記前面板は、外枠と、当該外枠の内側に設けられた凹部である収納部と、当該収納部の下端に設けられた前面板嵌合部と、上端中央に突出して設けられた前面板被ロック部とを備え、上記蓋板は、下端に設けられ上記前面板嵌合部と嵌合する蓋板嵌合部と、上端中央に突出して設けられた蓋板被ロック部とを備え、上記左右スライド式ロックは、当該左右スライド式ロックを左右にスライドさせることで、上記前面板被ロック部と蓋板被ロック部とを固定し、固定を解除することを特徴とする。
【０００９】
本考案の請求項２に係るカードホルダーは、上記前面板被ロック部、前記蓋板被ロック部、および左右スライド式ロックの周囲を囲み、上方より挿入可能なロック留めをさらに具備したことを特徴とする。
【００１０】
本考案の請求項３に係るカードホルダーは、前面板と、蓋板と、上記前面板と蓋板とを固定する上下スライド式ロックとを具備し、上記前面板と上記蓋板とに囲まれた空間にカード状物を保持可能なカードホルダーであって、上記前面板は、外枠と、当該外枠の内側に設けられた凹部である収納部と、当該収納部の下端に設けられた前面板嵌合部と、上端中央に突出して設けられた前面板被ロック部とを備え、上記蓋板は、下端に設けられ上記前面板嵌合部と嵌合する蓋板嵌合部と、上端中央に突出して設けられた蓋板被ロック部とを備え、上記上下スライド式ロックは、当該スライド式ロックを上下にスライドさせることで、上記前面板被ロック部と蓋板被ロック部とを固定し、固定を解除することを特徴とする。
【００１１】
本考案の請求項４に係るカードホルダーは、上記前面板および上記蓋板に対して、上記上下スライド式ロックを近接させた時に固定が解除され、上記上下スライド式ロックを離隔させた時に固定されることを特徴とする。
【００１２】
本考案の請求項５に係るカードホルダーは、上記前面板被ロック部および前記蓋板被ロック部に嵌合し、上記上下スライド式ロックの下方に挿入可能なロック留めをさらに具備したことを特徴とする。
【００１３】
本考案の請求項６に係るカードホルダーは、上記前面板嵌合部は、外側に向かって高くなるスロープであることを特徴とする。
【００１４】
本考案の請求項７に係るカードホルダーは、上記前面板被ロック部および上記蓋板被ロック部は瓢箪上の開口を有し、上記左右スライド式ロックはロック用凸部を有することを特徴とする。
【００１５】
本考案の請求項８に係るカードホルダーは、上記前面板被ロック部および上記蓋板被ロック部は瓢箪上の開口を有し、上記上下スライド式ロックはロック用凸部を有することを特徴とする。
【００１６】
本考案の請求項９に係るカードホルダーは、上記ロック留めは、上記前面板の厚みより広い切欠けを有することを特徴とする。
【００１７】
本考案の請求項１０に係るカードホルダーは、上記左右スライド式ロックは紐通しを有することを特徴とする。
【００１８】
本考案の請求項１１に係るカードホルダーは、上記上下スライド式ロックは紐通しを有することを特徴とする。
【００１９】
本考案の請求項１２に係るカードホルダーは、上記ロック留めはクリップを有することを特徴とする。
【００２０】
本考案の請求項１３に係るカードホルダー用保持具は、上端部に紐通しを有する突出部を備えたカードホルダーを身体に装着するための保持具であって、上記突出部の周囲を囲み、上方より挿入可能な筒状のロック留めと、首掛け用の紐とを備えたことを特徴とする。
【００２１】
本考案の請求項１４に係るカードホルダー用保持具は、上端部に突出部を備えたカードホルダーを身体に装着するための保持具であって、上記突出部の周囲を囲み、上方より挿入可能な筒状のロック留めとを備え、当該ロック留めは、クリップを有することを特徴とする。
【００２２】
本考案の請求項１５に係るカードホルダー用保持具は、上記ロック留めは、カードホルダーの厚みより広い切欠けを有することを特徴とする。
【考案の効果】
【００２３】
近年においては、顧客情報等の営業機密、ノウハウ等の技術機密の流出が大きな問題となっている。こういった問題を防止するため、オフィス等においてはＩＣカードを用いた入室時の認証が行われている。したがって、入室時にＩＣカードを必要とするため、首に掛ける等、ＩＣカードを身体に装着する必要がある。しかし、装着したＩＣカードを紛失するとセキュリティ上の問題が生じるため、絶対に脱落しないカードホルダーが求められている。
【００２４】
また、オフィス等においては、使用される物に機能性やデザイン性が以前よりも強く求められている。いわゆる機能美も重要視されている。
本考案は、このような２つの要求を満足するためになされたものである。
【００２５】
第一に、スライド式ロック機構を有するので、収納するカードの保持性が増し、カードが脱落して紛失することを抑制できる。
第二に、ロック機構を有するにもかかわらず、カードホルダーのほぼ全面を収納面とすることができ、且つ正面から見たカードホルダーには嵌合部等の機構部が見えない。
したがって、視認性とデザイン性、およびカードの保持性という、カードホルダーに要求される２つの基本機能を両立することができる。
【００２６】
第三に、前面板と蓋板との嵌合部をスロープとしたことで、嵌合部はカードの背後になるため、正面からは見えず、且つ、蓋板を嵌合部を支点として前面板に向けて回転させることができるため、スライド式ロック機構との相性が良い。
また、前面板を樹脂の成型で作製する場合、嵌合部をスロープとしたことで、成形品を金型から斜めに抜けるので、１工程で容易に離型できるというメリットがある。例えば、嵌合部を矩形の凹部とした場合には、２工程の離型工程が必要となるため、成形品に金型の分割線が入ってしまい、デザイン上の大きなデメリットとなる。なお、前面板被ロック部を、外枠に比べて、背面側が薄くなるようにしているが、これは蓋板との嵌めこみの安定性を向上させるとともに、成形品を金型から離形し易くするための工夫でもある。
【００２７】
第四に、ロック留めをさらに設けることで、スライド式ロックが外れることを防止するダブルロック機構が実現できる。カードホルダー本体に対するロック留めの挿入方向は、スライド式ロックの可動方向と直角の方向であるため、カードホルダーに一方向の強い力が掛かった場合においても、両方のロックが同時に外れることは無く、ロックの信頼性を担保できる。
そして、首掛け用の紐をこの筒状のロック留めに通すことができ、首掛け用の紐をしっかりと固定できる。これにより、装着している間に、分離部の位置がずれることを防止し、高い安全性を担保できる。また、首掛け用の紐が真っ直ぐに上に向かって立ち上がるため、だらしなさが無い機能美を得ることができる。
【００２８】
第五に、ロック留めに前面板の厚みより広い切欠けを設けることで、ロック留めを深く挿入することが可能となり、ロック留めが外れることを防止するとともに、ロック留めとカードホルダー本体とのデザイン上の一体感が得られる。
【図面の簡単な説明】
【００２９】
【図１】本考案に係るカードホルダーの前面板の（ａ）背面図と（ｂ）断面図である。
【図２】本考案に係るカードホルダーの蓋板の（ａ）背面図と（ｂ）断面図である。
【図３】本考案に係るカードホルダーのスライド式ロックの（ａ）背面図と（ｂ）側面図である。
【図４】本考案に係るカードホルダーのロック留めの（ａ）背面図、（ｂ）側面図、および（ｃ）上面図である。
【図５】本考案に係るカードホルダーの組立方法の説明図である。
【図６】本考案に係るカードホルダーのスライド式ロックとロック留めに紐を通した図である。
【図７】本考案に係るカードホルダーに首掛け用紐を設けたものの全体図である。
【図８】本考案の実施の形態２に係るカードホルダーのロック留めの（ａ）背面図、（ｂ）側面図、および（ｃ）上面図である。
【図９】本考案の実施の形態３に係るカードホルダーの前面板の（ａ）背面図と（ｂ）断面図である。
【図１０】本考案の実施の形態３に係るカードホルダーの蓋板の（ａ）背面図と（ｂ）断面図である。
【図１１】本考案の実施の形態３に係るスライド式ロックの（ａ）背面図と（ｂ）側面図である。
【図１２】本考案の形態３に係るカードホルダーのロック機構の説明図である。
【図１３】本考案の形態４に係るカードホルダーの前面板の背面図である。
【図１４】本考案の形態４に係るカードホルダーの蓋板の背面図である。
【図１５】本考案の形態４に係るカードホルダーのスライド式ロックの（ａ）背面図、および（ｂ）側面図である。
【図１６】本考案の形態４に係るカードホルダーのロック留めの（ａ）背面図、（ｂ）側面図、および（ｃ）上面図である。
【図１７】本考案の形態４に係るカードホルダーのスライド式ロック方法を説明する図である。
【図１８】本考案の形態４に係るカードホルダーのロック留めの使用方法を説明する図である。
【考案を実施するための形態】
【００３０】
本考案のカードホルダーについて、以下の各実施例において、構成、使用方法および特長等を説明する。
なお、以下の説明は本考案に関する良好な一例を開示するものであり、本考案が各実施の形態に限定されるものではない。例えば、各実施の形態において開示する考案品の材料や寸法等は、良好な一例を示すに過ぎず、その他の可能性を否定するものでは無い。
【００３１】
実施の形態１．
本考案に係るカードホルダーは、前面板と、蓋板と、これら前面板と蓋板とを固定する左右スライド式ロック（以下、スライド式ロックと呼ぶ）とを具備し、前面板と蓋板とに囲まれた空間にカード状物を保持可能なカードホルダーである。
また、さらにカードの保持性を強化する場合には、ロック留めを用いても良い。
＜構成部品＞
まず、カードホルダーを構成する以上の各部品の構成について、図１から図４を用いて説明する。
【００３２】
図１は、カードホルダーの前面板の（ａ）背面図と（ｂ）Ａ−Ａ断面図である。図２は、カードホルダーのスライド式ロックの（ａ）背面図と（ｂ）Ａ−Ａ断面図である。図３は、カードホルダーのスライド式ロックの（ａ）背面図と（ｂ）側面図である。そして、図４は、カードホルダーのロック留めの（ａ）背面図、（ｂ）側面図、および（ｃ）上面図である。
なお、各実施の形態において、「正面とは」カードホルダーを組み立てた際に、前面板から見て正面となる面であり、「背面」とは、カードホルダーを組み立てた際に、蓋板から見て正面となる面を意味する。
【００３３】
前面板１は、例えば、透明な樹脂製の成形品からなり、真っ直ぐな板状体である。あるいは、わずかに湾曲した板状体であっても良い。
図１に示すように、前面板１は、外枠１１と、この外枠の内側に設けられた凹部である収納部１２と、この収納部の下端に設けられた前面板嵌合部１２ａと、上端中央に突出して設けられた前面板被ロック部１３とを具備している。大きさは、例えば、凹部である収納部１２に名刺やＩＣカードがちょうど入る程度の大きさである。
【００３４】
収納部１２の下端には、前面板嵌合部１２ａが設けられ、後述する蓋板嵌合部２２と嵌合する形状になっている。これら嵌合形状は、互いに嵌合する形状であれば良いが、本実施の形態においては、図１（ｂ）に断面形状を示すように、外側（背面側）に向かって高くなるスロープとしている。
【００３５】
前面板被ロック部１３は、上端中央に突出して設けられており、その内部にロック用開口１３ａが設けられている。前面板被ロック部１３は、スライド式ロックにより、後述する蓋板被ロック部２３に固定される。
ロック用開口１３ａには、大きな径の開口と、それに連続してやや小さめの幅を持つ開口が形成され、全体として略瓢箪状の形状の開口となっている。
【００３６】
蓋板２も、例えば、樹脂製の成形品からなり、真っ直ぐな板状体である。あるいは、わずかに湾曲した板状体であっても良い。
図２に示すように、蓋板２は、その基部２１の下端に設けられ前面板嵌合部１２ａと嵌合する蓋板嵌合部２２と、上端中央に突出して設けられた蓋板被ロック部２３とを備えている。
【００３７】
基部２１は、前面板の収納部１２にぴったりと収まる大きさである。
蓋板嵌合部２２は、前面板嵌合部１２ａと嵌合する形状であり、本実施の形態においては、図２（ｂ）に断面形状を示すように、背面側に向かって高くなるスロープとしている。
【００３８】
蓋板被ロック部２３は、上端中央に突出して設けられており、その内部にロック用開口２３ａが設けられている。
ロック用開口２３ａには、大きな径の開口と、それに連続してやや小さめの幅を持つ開口が形成され、全体として略瓢箪状の形状の開口となっている。
なお、前面板１において、前面板被ロック部１３は、外枠１１に比べて、背面側が薄くなっている。一方、蓋板２において、蓋板被ロック部２３は正面側に厚くなっている。このようにすることで、前面板１に蓋板２を嵌めこんだ際に、嵌めこみが強固になるようにしている。
【００３９】
スライド式ロック３は、左右にスライドさせることで、前面板被ロック部１３と蓋板被ロック部２３とを固定し、あるいは固定を解除するためのものである。スライド式ロック３も、例えば、樹脂製の成形品である。
スライド式ロック３には、図３に示すように、ロック用凸部３２が設けられ、このロック用凸部３２の上端部３２ａは、ロック用開口１３ａおよび２３ａの瓢箪状開口の大きな径と同じ程度かやや小さく、且つ大きな径の開口に続く狭い開口の幅よりも大きな形状となっている。このような形状を有することで、左右にスライドさせることで、前面板被ロック部１３と蓋板被ロック部２３とを固定し、あるいは固定を解除することが可能となる。
また、ロック用凸部３２の下端部付近にはリング状の前面板留め３２ｂを設けている。この前面板留め３２ｂを設けることで、前面板被ロック部１３のロック用開口１３ａの瓢箪状開口の大きな径の開口に続く狭い開口部からスライド式ロック３が抜けることを防止できる。
【００４０】
また、スライド式ロック３は、ロック用凸部３２の上部に紐通し３１を備えていても良い。紐通し３１に首掛け用の紐を通すことで、カードホルダーを首に掛けて装着することができる。
【００４１】
ロック留め４は、図４に示すように、筒状の形状をした基部４１であり、前面板被ロック部、前記蓋板被ロック部、およびスライド式ロックの周囲を囲み、それらの上方より挿入可能なものである。ロック留め４は、例えば、透明な樹脂製の成形品である。
また、基部４１の下部には、前面板１の外枠１１の厚み、すなわちカードホルダーの厚みとなる前面板の厚みより広い切欠け４２を有している。この切欠け４２は、ロック留め４をカードホルダー本体に深く挿入できるようにしたものであり、そうすることで、カードホルダー本体からロック留め４が外れにくくなり、また、デザイン的な一体感も得られる。
【００４２】
＜組立＞
次に、これら４つの部品の組み立て方法に関して、図５を用いて説明する。組立ては、（ａ）からアルファベット順に進める。なお、各小図面には、組立過程における背面図と断面図を記載している。
【００４３】
まず、（ａ）に示すように、前面板１のロック用開口１３ａの大きな開口にスライド式ロック３のロック用凸部３２が挿入される。そして、白抜き矢印の方向にスライド式ロック３を押し込むと（ｂ）の状態になる。この状態では、ロック用凸部３２の前面板留め３２ｂにより、ロック用凸部３２がロック用開口１３ａから抜け落ちることは無く、したがって、スライド式ロック３は前面板１のロック用開口１３ａにしっかりと固定されている。
そして、図示しないＩＣカード等を収納部１２に入れる。
【００４４】
次に、蓋板２を取付ける。蓋板２を取付ける際には、（Ｃ）のように、蓋板嵌合部２２を前面板嵌合部１２ａに斜めから入れ、そこを中心にして蓋板２を前面板１方向に回転させて、（ｄ）に示すように、蓋板２のロック用開口２３ａの大きな径の開口を、ロック用開口１３ａから突出しているロック用凸部３２に挿入する。
【００４５】
次に、白抜き矢印の方向にスライド式ロック３を押し込むと（ｅ）の状態になる。すなわち、ロック用凸部３２の上部が蓋板２のロック用開口２３ａの狭い開口を抑え、ロックされた状態となる。
【００４６】
さらに、ロック状態にある前面板被ロック部１３、蓋板被ロック部２３、およびスライド式ロック３の上方より、ロック留め４を強く挿入し、ロック留め４がロック状態にある前面板被ロック部１３、蓋板被ロック部２３、およびスライド式ロック３を囲むようにしたのが、（ｆ）の状態である。この状態においては、スライド式ロック３を左右に動かすことはできず、ダブルロックされた状態と言える。
【００４７】
＜首掛けタイプ＞
スライド式ロック３の紐通し３１に首掛け用の紐５を通し、さらに、ロック留め４に首掛け用の紐５を通した状態を図６に示す。そして、上記に示したように、カードホルダーを組み立てれば、図７に示す状態となり、カードホルダーを首に掛けて装着することができる。
【００４８】
なお、安全確保のために、首掛け用の紐５に分離部５１が設けられる。例えば、機械作業をしている際に、機械にカードホルダー本体が巻きこまれた際、首が引っ張られないように、分離部５１は一定以上の力が掛かった際に分離し、身体へのダメージを回避できる。
身体へのダメージを回避する観点から、分離部５１はカードホルダー本体から離れた位置にあるのが望ましい。カードホルダーを首に掛けて装着している間に、カードホルダー本体に対して、首掛け用の紐５がずれて、分離部５１の位置がカードホルダー本体近くに移動してしまうこともある。しかし、ロック留め４をスライド式ロック３に強く挿入して固定した状態では、首掛け用の紐５は、ロック留め４の内面とスライド式ロック３の外面に強く挟まれているため、このような懸念は生じない。
【００４９】
また、ロック留め４の内面とスライド式ロック３の外面に強く挟また首掛け用の紐５は、ロック留め４の上部から真っ直ぐに立ち上げるため、見た目にもだらしなさが無く、スッキリした感じを与えることができる。
【００５０】
実施の形態２．
実施の形態１においては、首掛け用の紐５を用いて、カードホルダーを首に掛けて装着できるようにしたが、本実施の形態では、胸ポケット等に装着する場合を示す。
実施の形態１と異なるのは、ロック留め４が、図８に示すように、クリップ４３を備えたロック留め４ａとなっている点であり、その他の構成は同様である。
クリップ４３を胸ポケット等に挿入することで、カードホルダーを胸ポケット等に装着できる。
【００５１】
実施の形態３．
実施の形態１においては、スライド式ロック３にロック用凸部３２が設けられたスライド式ロック機構を示したが、スライド式ロック機構に関しては、実施の形態１で示した形態に限定されることは無く、どのようなスライド式ロック機構であっても良い。
本実施の形態においては、実施の形態１と異なるスライド式ロック機構について、図９〜図１２を用いて説明する。
【００５２】
図９は、カードホルダーの前面板の（ａ）背面図と（ｂ）Ａ−Ａ断面図である。図１０は、カードホルダーのスライド式ロックの（ａ）背面図と（ｂ）Ａ−Ａ断面図である。そして、図１１は、カードホルダーのスライド式ロックの（ａ）背面図と（ｂ）側面図である。
【００５３】
図９に示すように、前面板１ａの前面板被ロック部１４には、ロック用凸部１４ａが設けられている。
また、図１０に示すように、蓋板２ａの蓋板被ロック部２４には、ロック用開口２４ａが設けられている。
そして、図１１に示すように、スライド式ロック３ａにはロック用開口３３が設けられている。
【００５４】
ロック用凸部１４ａは、図９（ｂ）に示すように、上部にくびれが設けられている。
ロック用開口２４ａの開口は、ロック用凸部１４ａの一番大きな外形よりもやや大きめであり、ロック用凸部１４ａを通すことができる。
また、ロック用開口３３は、大きな径の開口と、それに連続してやや小さめの幅を持つ開口が形成され、全体として略瓢箪状の形状の開口となっている。大きな径の開口は、ロック用凸部１４ａの一番大きな外形よりもやや大きめであり、一方、大きな径の開口に連続する小さめの幅の開口は、ロック用凸部１４ａの一番大きな外形よりも小さく、且つロック用凸部１４ａのくびれよりも大きい。
【００５５】
そして、ロック用凸部１４ａをロック用開口２４ａの奥まで通した状態においては、図１２に示した断面形状から分かるように、ロック用凸部１４ａのくびれ部分は、ロック用開口２４ａよりも上に出ている。このロック用開口２４ａよりも上に出ている部分をロック用開口３３の大きな径の開口部分に通し、スライド式ロック３ａを左にずらすと、ロック状態になる。
【００５６】
実施の形態４．
実施の形態１および３においては、横方向にスライドするスライド式ロック機構を示したが、縦方向にスライドするスライド式ロック機構であっても良い。
図１３から図１６に、縦方向にスライドするスライド式ロック機構を実現するための構成部品の一例を示す。
【００５７】
図１３に前面板１ａの背面図を示す。実施の形態１と異なる点は、前面板被ロック部１５に設けられたロック用開口１５ａを縦向きとした点である。
また、図１４に蓋板２ｂの背面図を示す。実施の形態１と異なる点は、蓋板被ロック部２５に設けられたロック用開口２５ａを縦向きとした点である。
また、上下スライドロック３ｂは、図１５に示すように、やや縦長の形状となっている点を除いて、実施の形態１と同様である。
【００５８】
以上のような構成にすることで、図１７に示すように、上下スライド式ロック３ｂを下方向に押し込んだときにロック解除状態（図１７（ａ））、上方向に引き上げたときにロック状態（図１７（ｂ））にすることができる。
なお、ロック用開口１５ａおよびロック用開口２５ａ、それぞれの形状を上下逆向きとすること等により、ロック状態を逆転させても良い。すなわち、上下スライド式ロック３ｂを下方向に押し込んだときにロック状態、上方向に引き上げたときにロック解除状態にすることも可能である。
ただし、図１７に示すように、上下スライド式ロック３ｂを下方向に押し込んだときにロック解除状態、上方向に引き上げたときにロック状態とする構成にした方が良い。なぜなら、カードホルダーを首に掛けて着用する際には、通常は、首掛け用の紐からカードホルダーを引き離す方向にしか力は掛からない。すなわち、上下スライド式ロック３ｂからカードホルダーを引き離す方向にしか力は掛からないので、図１７に示す構成であれば、その力により、ロックが解除されることが無いためである。
【００５９】
また、ロック留め４ｂは、前面部と蓋部からなるカードホルダー本体に嵌合し、上下スライド式ロック３ｂの下方に挿入可能としたものである。具体的には、図１６に示すように、上面から見た際にコの字状の形状を有しており、コの字状基体４４には、カードホルダー本体に嵌めこむための切欠け４５が設けられている。切欠け４５は、前面板１ｂの外枠の厚みより広い幅を有している。
ロック留め４ｂは、図１８に示すように、まず、カードホルダー本体に嵌めこみ（図１８（ａ））、その後、横方向にスライドし、上下スライド式ロック３ｂが下方向に押されることを防止し、ダブルロック状態を得ることができる。
【００６０】
＜本考案の特長＞
以上、実施の形態１から３において説明したカードホルダーの持つ特長を以下にまとめる。
まず、近年においては、顧客情報等の営業機密、ノウハウ等の技術機密の流出が大きな問題となっている。こういった問題を防止するため、オフィス等においてはＩＣカードを用いた入室時の認証が行われている。したがって、入室時にＩＣカードを必要とするため、首に掛ける等、ＩＣカードを身体に装着する必要がある。しかし、装着したＩＣカードを紛失するとセキュリティ上の問題が生じるため、絶対に脱落しないカードホルダーが求められている。
【００６１】
また、オフィス等においては、使用される物に機能性やデザイン性が以前よりも強く求められている。いわゆる機能美も重要視されている。
本考案は、このような２つの要求を満足するためになされたものである。
【００６２】
第一に、スライド式ロック機構を有するので、収納するカードの保持性が増し、カードが脱落して紛失することを抑制できる。
第二に、ロック機構を有するにもかかわらず、カードホルダーのほぼ全面を収納面とすることができ、且つ正面から見たカードホルダーには嵌合部等の機構部が見えない。
したがって、視認性とデザイン性、およびカードの保持性という、カードホルダーに要求される２つの基本機能を両立することができる。
【００６３】
第三に、前面板と蓋板との嵌合部をスロープとしたことで、嵌合部はカードの背後になるため、正面からは見えず、且つ、蓋板を嵌合部を支点として前面板に向けて回転させることができるため、スライド式ロック機構との相性が良い。
また、前面板を樹脂の成型で作製する場合、嵌合部をスロープとしたことで、成形品を金型から斜めに抜けるので、１工程で容易に離型できるというメリットがある。例えば、嵌合部を矩形の凹部とした場合には、２工程の離型工程が必要となるため、成形品に金型の分割線が入ってしまい、デザイン上の大きなデメリットとなる。なお、前面板被ロック部を、外枠に比べて、背面側が薄くなるようにしているが、これは蓋板との嵌めこみの安定性を向上させるとともに、成形品を金型から離形し易くするための工夫でもある。
【００６４】
第四に、ロック留めをさらに設けることで、スライド式ロックが外れることを防止するダブルロック機構が実現できる。カードホルダー本体に対するロック留めの挿入方向は、スライド式ロックの可動方向と直角の方向であるため、カードホルダーに一方向の強い力が掛かった場合においても、両方のロックが同時に外れることは無く、ロックの信頼性を担保できる。
そして、首掛け用の紐をこの筒状のロック留めに通すことができ、首掛け用の紐をしっかりと固定できる。これにより、装着している間に、分離部の位置がずれることを防止し、高い安全性を担保できる。また、首掛け用の紐が真っ直ぐに上に向かって立ち上がるため、だらしなさが無い機能美を得ることができる。
【００６５】
第五に、ロック留めに前面板の厚みより広い切欠けを設けることで、ロック留めを深く挿入することが可能となり、ロック留めが外れることを防止するとともに、ロック留めとカードホルダー本体とのデザイン上の一体感が得られる。
【００６６】
なお、このロック留めについては、スライド式ロック機構を有さないカードホルダーにも用いることができる。例えば、上端部に突出した形状を有するカードホルダー全般に関して、カードホルダーを身体に装着するための保持具として用いることができる。
上端部に突出した形状に紐通しが設けられている場合は、紐と組合せて、首掛け装着用の保持具として、あるいは、実施の形態２で示したように、ロック留めがクリップを備えている場合には、胸ポケットに装着するための保持具として用いることができる。
【符号の説明】
【００６７】
１、１ａ、１ｂ    前面板
１１  外枠
１２  収納部    １２ａ  前面板嵌合部
１３、１５  前面板被ロック部    １３ａ、１５ａ  ロック用開口
１４  前面板被ロック部    １４ａ  ロック用凸部
２、２ａ、２ｂ    蓋板
２１  基部
２２  蓋板嵌合部
２３、２４、２５  蓋板被ロック部
２３ａ、２４ａ、２５ａ  ロック用開口
３、３ａ    左右スライド式ロック
３ｂ    上下スライド式ロック
３１  紐通し
３２  ロック用凸部
３３  ロック用開口
４、４ａ、４ｂ    ロック留め
４１  筒状基部
４２、４５  切欠け
４３  クリップ
４４  コの字状基部
５    首掛け用紐
５１  分離部
【図１】
0003200156.tif 000003
【図２】
0003200156.tif 000004
【図３】
0003200156.tif 000005
【図４】
0003200156.tif 000006
【図５】
0003200156.tif 000007
【図６】
0003200156.tif 000008
【図７】
0003200156.tif 000009
【図８】
0003200156.tif 000010
【図９】
0003200156.tif 000011
【図１０】
0003200156.tif 000012
【図１１】
0003200156.tif 000013
【図１２】
0003200156.tif 000014
【図１３】
0003200156.tif 000015
【図１４】
0003200156.tif 000016
【図１５】
0003200156.tif 000017
【図１６】
0003200156.tif 000018
【図１７】
0003200156.tif 000019
【図１８】
0003200156.tif 000020
【手続補正書】
【提出日】平成27年7月24日(2015.7.24)
【手続補正１】
【補正対象書類名】実用新案登録請求の範囲
【補正対象項目名】全文
【補正方法】変更
【補正の内容】
【実用新案登録請求の範囲】
【請求項１】
前面板と、
蓋板と、
上記前面板と蓋板とを固定する左右スライド式ロックと、
を具備し、
上記前面板と上記蓋板とに囲まれた空間にカード状物を保持可能なカードホルダーであって、
上記前面板は、
外枠と、
当該外枠の内側に設けられた凹部である収納部と、
当該収納部の下端に設けられた前面板嵌合部と、
上端中央に突出して設けられた前面板被ロック部と、
を備え、
上記蓋板は、
下端に設けられ上記前面板嵌合部と嵌合する蓋板嵌合部と、
上端中央に突出して設けられた蓋板被ロック部と、
を備え、
上記左右スライド式ロックは、
当該左右スライド式ロックを左右にスライドさせることで、上記前面板被ロック部と上記蓋板被ロック部とを固定し、固定を解除する
ことを特徴とするカードホルダー。
【請求項２】
上記前面板被ロック部、上記蓋板被ロック部、および上記左右スライド式ロックの周囲を囲み、上方より挿入可能なロック留めをさらに具備した
ことを特徴とする請求項１に記載のカードホルダー。
【請求項３】
前面板と、
蓋板と、
上記前面板と蓋板とを固定する上下スライド式ロックと、
を具備し、
上記前面板と上記蓋板とに囲まれた空間にカード状物を保持可能なカードホルダーであって、
上記前面板は、
外枠と、
当該外枠の内側に設けられた凹部である収納部と、
当該収納部の下端に設けられた前面板嵌合部と、
上端中央に突出して設けられた前面板被ロック部と、
を備え、
上記蓋板は、
下端に設けられ上記前面板嵌合部と嵌合する蓋板嵌合部と、
上端中央に突出して設けられた蓋板被ロック部と、
を備え、
上記上下スライド式ロックは、
当該上下スライド式ロックを上下にスライドさせることで、上記前面板被ロック部と上記蓋板被ロック部とを固定し、固定を解除する
ことを特徴とするカードホルダー。
【請求項４】
上記前面板および上記蓋板に対して、上記上下スライド式ロックを近接させた時に固定が解除され、上記上下スライド式ロックを離隔させた時に固定される
ことを特徴とする請求項３に記載のカードホルダー。
【請求項５】
上記前面板被ロック部および上記蓋板被ロック部に嵌合し、上記上下スライド式ロックの下方に挿入可能なロック留めをさらに具備した
ことを特徴とする請求項４に記載のカードホルダー。
【請求項６】
上記前面板嵌合部は、外側に向かって高くなるスロープである
ことを特徴とする請求項１から５のいずれかに記載のカードホルダー。
【請求項７】
上記前面板被ロック部および上記蓋板被ロック部は瓢箪上の開口を有し、
上記左右スライド式ロックはロック用凸部を有する
ことを特徴とする請求項１または２に記載のカードホルダー。
【請求項８】
上記前面板被ロック部および上記蓋板被ロック部は瓢箪上の開口を有し、
上記上下スライド式ロックはロック用凸部を有する
ことを特徴とする請求項３から５のいずれかに記載のカードホルダー。
【請求項９】
上記ロック留めは、上記前面板の厚みより広い切欠けを有する
ことを特徴とする請求項２または５に記載のカードホルダー。
【請求項１０】
上記左右スライド式ロックは紐通しを有する
ことを特徴とする請求項１または２に記載のカードホルダー。
【請求項１１】
上記上下スライド式ロックは紐通しを有する
ことを特徴とする請求項３から５のいずれかに記載のカードホルダー。
【請求項１２】
上記ロック留めはクリップを有する
ことを特徴とする請求項２または５に記載のカードホルダー。